(57)【特許請求の範囲】
【請求項１】
第１の水準器を有する基台と、
前記基台上に設置された望遠鏡と、
前記望遠鏡に取付けられた目盛板に指針を回動自在に支持させてなる角度計と、
前記望遠鏡の直上に位置するように前記指針に取付けられ、気泡が露出する構造の第２の水準器と、
前記望遠鏡に取付けられて照準面にレーザー光を照射するレーザー光源とを備え、
前記望遠鏡には、前記第２の水準器と対向する位置に穴が形成され、
この望遠鏡の内部には、前記穴を通して前記第２の水準器を見るための反射板が設けられ、
前記望遠鏡は、前記レーザー光源から照射されて照準面に照射されたレーザー光と、前記反射板に映る第２の水準器の前記気泡とを同一の視野内で見ることができるように構成され、
前記望遠鏡によって前記第２の水準器の気泡と前記レーザー光のずれを検出することを特徴とする照準装置。
【発明の詳細な説明】
【０００１】
【発明の属する技術分野】
本発明は、各種照明装置、灯具、特に夜間時における航空灯火の灯列調整作業等に用いて好適な照準装置に関する。
【０００２】
【従来の技術】
飛行場に設置されている進入灯、滑走路灯、誘導灯等の航空灯火は、航空機が着陸する際の必要不可欠な視覚援助システムであり、各灯火の灯列を整然と列し、所定の方位角と仰角に調整されている。例えば、図５に示すように航空機の進入方向をガイドする進入灯の場合は、滑走路１の末端より後方に向かって配列された４種類の進入灯、すなわちセンターバレット２、連鎖式閃光灯３、サイドＣバレット４およびクロスバー５で構成されている。これらの進入灯は、いずれも呼称、照明色および点灯方式が異なる。
【０００３】
図６に進入灯の構造を示す。
全体を符号１０で示すものは進入灯で、前面および下面が開放する筒状の灯体ヘッド１１、灯体ヘッド１１の内部に配設された反射鏡１２および電球１３、灯体ヘッド１１の下面開口部に締付けバンド１４によって取付けられたベースプレート１５および調整座１６、下部台座１７等を備えている。調整座１６は、下面が開放する碗状に形成されている。下部台座１７は、滑走路末端の後方所定箇所に設置されるもので、上端に碗状の受部１９を一体に有し、この受部１９の外周に前記調整座１６が摺動自在に嵌合され、かつ複数個の蝶ねじ２０によって固定されている。
【０００４】
このような進入灯１０は、灯体ヘッド１１、反射鏡１２、電球１３等が取付けられたベースプレート１５を調整座１６の上面開口部に位置決めし、締付けバンド１４によってベースプレート１５と調整座１６を灯体ヘッド１１に固定する。そして、調整座１６を受部１９に対して回動させて灯体ヘッド１１を所定の方位に向けるとともに、所定の仰角に設定した後、調整座１６を蝶ねじ２０によって固定する。以下、このような進入灯１０の方位（灯列方向）と仰角の設定、調整作業を、ここでは灯列調整作業と呼ぶ。
【０００５】
進入灯１０を設置する際の灯列調整作業は、照準装置と呼ばれる特殊な調整装置を使用して行うのが一般的であり、この作業は昼夜を問わず行われるが、夜間での作業は昼間の作業とは異なり周囲が暗いことから、灯列方向を示す照準面（照準点）を照射するための照明装置を必要とする。すなわち、明るい昼間に灯列調整作業を行うときは、望遠鏡を覗いて前方に設置されている進入灯をアイポイントとして照準すれば灯列を調整することができるため、照準面をわざわざ照明する必要はないが、夜間時では望遠鏡で覗いても照準面が見えないため、照明装置によって明るく照明する必要がある。このため、１人の作業者が前方に定められている照準面付近に行って照明装置で当該照準面を明るく照明し、他の作業員が照準装置の望遠鏡を覗いて照明されている前方の照準面に照準することで、進入灯の灯列調整作業が行われる。
【０００６】
【発明が解決しようとする課題】
上記したように従来の照準装置は、夜間に灯列調整作業を行うとき、数人の作業者、すなわち照準面を照明するための作業者と、照準装置を操作して灯列調整作業を行う作業者が必要になるという問題があった。また、照準面を照明するための照明装置、発電機等を必要とするため、作業が大掛かりになり昼間の作業に比べて長時間を要するという問題もあった。
【０００７】
本発明は上記した従来の問題を解決するためになされたもので、その目的とするところは、特に夜間において照準面を照明することなく灯列調整作業を容易にかつ迅速に行い得るようにした照準装置を提供することにある。
【０００８】
【課題を解決するための手段】
上記目的を達成するために本発明は、第１の水準器を有する基台と、前記基台上に設置された望遠鏡と、前記望遠鏡に取付けられた目盛板に指針を回動自在に支持させてなる角度計と、前記望遠鏡の直上に位置するように前記指針に取付けられ、気泡が露出する構造の第２の水準器と、前記望遠鏡に取付けられて照準面にレーザー光を照射するレーザー光源とを備え、前記望遠鏡には、前記第２の水準器と対向する位置に穴が形成され、この望遠鏡の内部には、前記穴を通して前記第２の水準器を見るための反射板が設けられ、前記望遠鏡は、前記レーザー光源から照射されて照準面に照射されたレーザー光と、前記反射板に映る第２の水準器の前記気泡とを同一の視野内で見ることができるように構成され、この望遠鏡によって前記第２の水準器の気泡と前記レーザー光のずれを検出するものである。
【０００９】
このような照準装置によると、照準面を照射するレーザー光源を備えているので、そのレーザー光の方向を作業者が目で確認しながら照準面に照準することができる。したがって、別の作業者が照明装置によって照準面を照明する必要がない。
【００１０】
【発明の実施の形態】
以下、本発明を図面に示す実施の形態に基づいて詳細に説明する。
図１は本発明に係る照準装置の平面図、図２は同照準装置の使用時の状態を示す右側面図、図３は同照準装置の左側面図、図４は灯列調整作業を説明するための図である。本実施の形態では、図６に示した飛行場の滑走路末端より後方に向かって設置される進入灯１０の灯列調整作業に用いた例を示す。
【００１１】
これらの図において、符号３０で示すものは進入灯１０の灯列調整作業に用いられる照準装置で、基台３１、望遠鏡３２、角度計３３、レーザー光源３４等を備え、進入灯１０を設置する前の図６に示したベースプレート１５を外してから調整座１６上に直接取付けられる構造となっている。
【００１２】
前記基台３１は、図６に示した進入灯１０のベースプレート１５と全く同一形状に形成しておくことにより共通部品を構成するもので、円板状の台本体３１Ａと、台本体３１Ａの上面中央に複数個の止めねじ３５によって固定された支持台３１Ｂとからなり、台本体３１Ａが前記調整座１６の上面にピンと凹部の嵌合によって位置決めされ、２本の止めねじ３６によって固定される。前記支持台３１Ｂは、金属板の曲げ加工等によって下向きのコ字状に形成され、上面に前記望遠鏡３２が水平に設置されている。台本体３１Ａの上面から望遠鏡３２の軸線３８までの高さは、前記進入灯１０のベースプレート１５の上面から電球１３の中心（フィラメントの中心）までの高さと等しい。
【００１３】
また、前記基台３１には、基台３１の水平度を測定する第１の水準器３９が配設されている。第１の水準器３９は、２つの水準器３９Ａ，３９Ｂからなり、一方の水準器３９Ａが前記支持台３１Ｂの上面に望遠鏡３２の一側に位置して配設され、基台３１の矢印Ａで示す前後方向の傾き（望遠鏡３２の軸線３８を含む垂直面内の傾き）を測定する。他方の水準器３９Ｂは、台本体３１Ａの上面で前記望遠鏡３２の真下に位置して配設され、基台３１の矢印Ｂで示す左右方向の傾き（望遠鏡３２の軸線３８と直交する垂直面内の傾き）を測定する。なお、水準器３９Ａ，３９Ｂは市販のもので、基板にガラス製の気泡入り液体容器を備えたものである。
【００１４】
前記望遠鏡３２は、端部が伸縮する倍率が５倍程度のズーム式で、百数十メートルの距離まで正確に視認できるものが用いられ、軸線３８が基台３１の左右方向中心線上に位置するように支持台３１Ｂ上に設置されている。望遠鏡３２は、対物レンズ、接眼レンズの他に第２の水準器４０を見るための反射板４１と、透明ガラス４２（図４）を有している。反射板４１は、望遠鏡３２の鏡筒の内部中央に配置されている。透明ガラス４２は、反射板４１の真上に位置し、鏡筒の上面に設けた穴を閉塞している。
【００１５】
前記角度計３３は照準器３０の仰角を設定するために用いられるもので、前記望遠鏡３２の一側面に２本の止めねじ４４によって固定された目盛板４５と、この目盛板４５に回動可能に取付けられた指針４６と、この指針４６を目盛板４５に固定するねじ４７を備え、また指針４６の裏面側には前記第２の水準器４０が取付けられている。目盛板４５は、望遠鏡３２の軸線３８と平行になるように垂直に固定され、表面には照準器３０の仰角を示す目盛り４８が表示されている。目盛り４８は、指針４６の回動方向に略１８０°の範囲で円弧状に表示されており、最下点が０°とされ、左右に９０°ずつ表示されている。前記指針４６は、上端が支軸４９によって目盛板４５の表面に沿って前後方向に回動自在に軸支され、表面下端部に操作用の摘み５０とバーニア（副尺目盛り）５１が設けられており、１０分の１°まで読取りを可能にしている。
【００１６】
前記第２の水準器４０は、前記指針４６の上端部裏面でかつ前記望遠鏡３２の直上に位置するように水平に取付けられている。また、第２の水準器４０の軸線と前記望遠鏡３２の軸線は、同一垂直面内に位置している。
【００１７】
前記レーザー光源３４は、ボタン電池３個を内蔵して前記望遠鏡３２の後端部上面に、望遠鏡３２に照準されて固定されており、スイッチ５３を指で押してＯＮにすると、赤色のレーザー光（波長：６４５ｎｍ）５４を放射し、前方に定められている照準面５５を照射する。このとき、望遠鏡３２で照準面５５を見ると、前記第２の水準器４０と、レーザー光５４が赤い点５６として見える。なお、スイッチ５３は安全性の確保と電池の消耗を防止するために押している状態のときのみＯＮの状態を保持し、外力が取り除かれるとＯＦＦになるように構成されている。
【００１８】
次に、上記構造からなる照準装置３０による進入灯１０の夜間における灯列調整作業の手順について説明する。
先ず、照準装置３０をベースプレート１５を取り外してから調整座１６の上に設置する。この設置は、台本体３１Ａを調整座１６に対して位置決めピン６０と凹部６１（図１）との嵌合によって位置決めし、次いで止めねじ３６によって固定することにより行われる。
【００１９】
次に、指針４６のバーニア５１の零の目盛り線を目盛板４５の目盛り４８の零の目盛り線と一致させて仰角０°とし、調整座１６を回動させて２つの水準器３９Ａ，３９Ｂの気泡をガラス管の中央に移動させる。これにより、調整座１６および照準装置３０は水平になり、蝶ねじ２０（図６）によって調整座１６を下部台座１７の受部２０に対して仮固定する。また、第２の水準器４０も水平になり、気泡６３（図４）がガラス管の中央に位置する。
【００２０】
次に、スイッチ５３をＯＮにしてレーザー光源３４からレーザー光５４を照射し、この光の方向を見ながら照準面５５に照準する。正しく照準されると、レーザー光の赤い点５６は第２の水準器４０の中央に位置する。照準面５５に照準しないときは、調整座１６を回動させて一致させ、照準面５５に照準する。この照準作業は、調整座１６の方位を進入灯１０の灯列方向と一致させるためのものである。
【００２１】
照準面５５は、当該調整座１６上に設置すべき進入灯１０の前方に位置する他の進入灯の背面に反射シート等を貼着することで表示されている。前方にアイポイントとなる進入灯がないときは、当該調整座１６から所定距離離れた位置に照準面５５を定めた目印となる目標物を立てておく。なお、目盛り４８によって読み取った指針４６の回動角度は、仰角設定時の補正に用いられる。
【００２２】
次に、角度計３３によって進入灯の仰角を設定する。この仰角設定は、指針４６を、バーニア５１の零の目盛り線を目盛板４５の目盛り４８の零の目盛り線と一致した仰角０°の状態から指で図３において反時計方向に回動させて進入灯１０の仰角を設定する。例えば、進入灯１０の仰角が６°とすると、指針４６を反時計方向に６°だけ回動させて、バーニア５１の零の目盛り線を、目盛板４５の目盛り４８の左側の６°の目盛り線と一致させる。これにより、第２の水準器４０は水平に対して左下がりに６°だけ傾く。
【００２３】
次に、蝶ねじ２０を緩めて調整座１６を図２において反時計方向に６°回動させる。これにより、指針４６は元の垂直な状態に戻り、第２の水準器４０は水平に戻り、調整座１６が進入灯１０の仰角と等しくなる。このとき、第２の水準器４０を上方から覗いて気泡６３が中央に位置したか否かを確認する。そして、蝶ねじ２０を締め付けて調整座１６を下部台座１７に対して固定する。
【００２４】
次に、照準装置３０を調整座１６から取り外し、元の進入灯１０のベースプレート１５を調整座１６に設置すると、進入灯１０の灯列および仰角が調整座１６の向きおよび傾斜角度と一致し、もって進入灯１０の灯列調整作業を終了する。
【００２５】
このような構造からなる照準装置３０によれば、レーザー光源３４を備えているので、暗い中での作業であってもレーザー光５４の方向を見ながら照準面５５を容易に探し出すことができる。したがって、照準面５５に確実に照準することができ、作業者が照準面５５の近くに行って照明装置で照明する必要がなく、作業が容易で、灯列調整作業を迅速に行うことができる。
【００２６】
また、照準装置３０によって調整座１６の向き、仰角を調整した後は、その上に進入灯１０のベースプレート１５を設置して固定するだけで、調整作業を一切必要としないので、進入灯１０の調整座１６に対する取付作業も容易である。なお、昼間に灯列調整作業を行うときは、レーザー光源３４を点灯する必要がなく望遠鏡３２を覗いて照準面５５に照準すればよい。
【００２７】
上記した実施の形態では、飛行場の進入灯１０の灯列調整作業に用いられる照準装置について説明したが、本発明はこれに何等限定されるものではなく、例えば滑走路灯、誘導路灯等の他の灯具の灯列調整作業にも用いることが可能である。
【００２８】
【発明の効果】
以上説明したように本発明に係る照準装置は、第１の水準器を有する基台と、指針に第２の水準器が取付けられた角度計と、照準面を照射するレーザー光源と、前記基台上に設置され前記角度計および前記レーザー光源が取付けられた望遠鏡とで構成したので、夜間であっても作業者が照明装置によって照準面を照明する必要がなく、灯列調整作業を少人数で容易にかつ短時間に行うことができる。
【図面の簡単な説明】
【図１】  本発明に係る照準装置の平面図である。
【図２】  同照準装置の使用時の状態を示す右側面図である。
【図３】  同照準装置の左側面図である。
【図４】  レーザー光による照準を説明するための図である。
【図５】  飛行場の滑走路末端に設置される進入灯を示す図である。
【図６】  進入灯の断面図である。
【符号の説明】
１…滑走路、１０…進入灯、１１…灯体ヘッド、１３…電球、１５…ベースプレート、１６…調整座、１７…下部台座、１９…受部、３０…照準装置、３１…基台、３２…望遠鏡、３３…角度計、３４…レーザー光源、３９…第１の水準器、４０…第２の水準器、４１…反射板、４２…透明ガラス、４５…目盛板、４６…指針、４９…支軸、５４…レーザー光、５５…照準面。
【図１】
0004647774.tif 000002
【図２】
0004647774.tif 000003
【図３】
0004647774.tif 000004
【図４】
0004647774.tif 000005
【図５】
0004647774.tif 000006
【図６】
0004647774.tif 000007